(57)【要約】【課題】産地偽装や偽地域ブランド品の販売を行うことが困難となり、作物の収穫後において生産者に余分な手間が掛かることなく、出荷する作物に生産者等の情報を付加することができる栽培・出荷方法を提供する。【解決手段】耐候性を有する材料で形成され孔部１４が設けられて生産者等の情報が表示されたタグ１２を圃場の土壌上に置き、タグの孔部の内側に種子を播いて、種子から発芽・発根させ、タグの孔部から地中に向かって根を、地上に向かって葉茎部を成長させる。作物の生育後に、根基部と葉茎基部との間にタグ１２が一体的に係合した作物１０を土壌中から引き抜いて収穫し、タグが付加された状態のままで作物を出荷する。【選択図】図１
2009277029.tif 000002
【特許請求の範囲】
【請求項１】
耐候性を有する材料で形成され孔部もしくは環部が設けられて生産者等の情報が表示されもしくは生産者等の情報を記憶したＩＣチップが埋め込まれたタグを圃場の土壌上に置き、そのタグの前記孔部もしくは環部の内側に種子を播いて、種子から発芽・発根させ、前記タグの孔部もしくは環部から地中に向かって根を、地上に向かって葉茎部を成長させ、作物が生育した後に、根基部と葉茎基部との間に前記タグが一体的に係合した作物を土壌中から引き抜いて収穫し、前記タグが付加された状態のままで作物を出荷することを特徴とする作物の栽培・出荷方法。
【請求項２】
耐候性を有する材料で形成され孔部が設けられてその孔部に種子を保持し生産者等の情報が表示されもしくは生産者等の情報を記憶したＩＣチップが埋め込まれたタグを圃場の土壌上に置いて、種子から発芽・発根させ、前記タグの孔部から地中に向かって根を、地上に向かって葉茎部を成長させ、作物が生育した後に、根基部と葉茎基部との間に前記タグが一体的に係合した作物を土壌中から引き抜いて収穫し、前記タグが付加された状態のままで作物を出荷することを特徴とする作物の栽培・出荷方法。
【請求項３】
耐候性を有する材料で形成され孔部もしくは環部が設けられて生産者等の情報が表示されもしくは生産者等の情報を記憶したＩＣチップが埋め込まれたタグを、交配直後における未生育の実の茎部を前記孔部もしくは環部に挿通して保持させ、作物が生育した後に、茎部に前記タグが一体的に係合した作物を茎部の一部と共にもぎ取って収穫し、前記タグが付加された状態のままで作物を出荷することを特徴とする作物の栽培・出荷方法。
【請求項４】
耐候性を有する材料で形成され、種子を収容する種子収容部が形設されるとともに、前記種子収容部に孔部が設けられ、生産者等の情報が表示されもしくは生産者等の情報を記憶したＩＣチップが埋め込まれたタグ本体部と、
水溶性もしくは水分解性または生分解性を有する材料で形成され、前記タグ本体部の下面側に接着されて、前記孔部から種子が脱落しないように孔部を塞ぐ閉塞フィルムと、
前記タグ本体部の上面側に接着されて、前記種子収容部から種子が移動しないようにするカバーフィルムと、
を備えて構成されたことを特徴とする作物栽培・出荷用タグ。
【請求項５】
前記カバーフィルムは、水溶性もしくは水分解性または生分解性を有する材料で形成された請求項４に記載の作物栽培・出荷用タグ。
【発明の詳細な説明】
【技術分野】
【０００１】
この発明は、野菜、果実等の作物を栽培し、その作物を出荷する方法、ならびに、その栽培・出荷方法を行うときに使用される作物栽培・出荷用タグに関する。
【背景技術】
【０００２】
近年、野菜や果物などの生鮮品に、生産者や産地の紹介、栽培方法のこだわり等の生産者情報を付加することが一般化しつつある。また、特定の地域で産出される野菜や果物などの生鮮特産品に、地域名と商品名が結びついた地域ブランドを付することにより、商品の付加価値が大いに高められ、また消費者は間違いのない商品を選択することができる。
【０００３】
野菜や果物などの生鮮品に生産者情報を付加したり地域ブランドを付する場合には、結束テープに商標、農業協同組合名等の出荷者名、生産者識別コードなどを印刷しておき、その結束テープを野菜に巻回して結束テープで野菜を結束したり、収納袋に商標、出荷者名、生産者識別コードなどを印刷しておき、その収納袋に野菜を収納したりしている（例えば、特許文献１参照。）。あるいは、商品名、生産者情報、バーコード等が印刷されたタグを紐等により野菜に結び付けたりする（例えば、特許文献２参照。）。また、近年では、タグにバーコードを印刷するのに代えて、生産者情報等が記憶されたＩＣチップと小型のアンテナを埋め込んだＩＣタグを用い、収穫農産物を収容するトレーなどにＩＣタグを付設して、農産物の情報を管理することも行われている（例えば、特許文献３参照。）。
【特許文献１】特開２００４−３２６３４５号公報（第５頁、第１０頁、図２、図３、図１２）
【特許文献２】特開２００５−７０３７８号公報（第４頁、図１、図２）
【特許文献３】特開２００６−９４８３３号公報（第４頁、図３）
【発明の開示】
【発明が解決しようとする課題】
【０００４】
野菜や果物などに生産者情報等を付加する場合、従来は、作物の収穫後において農協等の出荷者や販売業者が、生産者情報等が印刷された結束テープや収納袋を使用して農産物を結束したり袋詰めしたりしており、あるいは、生産者情報等が印刷されたタグや生産者情報等が記憶されたＩＣタグを農産物や包装容器などに取り付けていた。このため、産地偽装や偽地域ブランド品の販売が可能であり、実際にそのような不法行為が横行している。
【０００５】
また、生産者自身が、自ら栽培し収穫した野菜や果物に生産者名や産地、栽培方法などの生産者情報を付加することも可能であるが、その場合には、作物を収穫した後にも出荷までに余分な手間が掛かることになる。
【０００６】
この発明は、以上のような事情に鑑みてなされたものであり、産地偽装や偽地域ブランド品の販売などの不法行為を行うことが困難となり、作物の収穫後において生産者に余分な手間が掛かることなく、出荷する作物に生産者や地域ブランドなどの情報を付加することができる作物の栽培・出荷方法を提供すること、ならびに、その栽培・出荷方法を行うために使用される作物栽培・出荷用タグを提供することを目的とする。
【課題を解決するための手段】
【０００７】
請求項１に係る発明は、作物の栽培し出荷する方法において、耐候性を有する材料で形成され孔部もしくは環部が設けられて生産者等の情報が表示されもしくは生産者等の情報を記憶したＩＣチップが埋め込まれたタグを圃場の土壌上に置き、そのタグの前記孔部もしくは環部の内側に種子を播いて、種子から発芽・発根させ、前記タグの孔部もしくは環部から地中に向かって根を、地上に向かって葉茎部を成長させ、作物が生育した後に、根基部と葉茎基部との間に前記タグが一体的に係合した作物を土壌中から引き抜いて収穫し、前記タグが付加された状態のままで作物を出荷することを特徴とする。
【０００８】
請求項２に係る発明は、作物の栽培し出荷する方法において、耐候性を有する材料で形成され孔部が設けられてその孔部に種子を保持し生産者等の情報が表示されもしくは生産者等の情報を記憶したＩＣチップが埋め込まれたタグを圃場の土壌上に置いて、種子から発芽・発根させ、前記タグの孔部から地中に向かって根を、地上に向かって葉茎部を成長させ、作物が生育した後に、根基部と葉茎基部との間に前記タグが一体的に係合した作物を土壌中から引き抜いて収穫し、前記タグが付加された状態のままで作物を出荷することを特徴とする。
【０００９】
請求項３に係る発明は、作物の栽培し出荷する方法において、耐候性を有する材料で形成され孔部もしくは環部が設けられて生産者等の情報が表示されもしくは生産者等の情報を記憶したＩＣチップが埋め込まれたタグを、交配直後における未生育の実の茎部を前記孔部もしくは環部に挿通して保持させ、作物が生育した後に、茎部に前記タグが一体的に係合した作物を茎部の一部と共にもぎ取って収穫し、前記タグが付加された状態のままで作物を出荷することを特徴とする。
【００１０】
請求項４に係る発明は、作物の栽培し出荷するときに使用される作物栽培・出荷用タグにおいて、耐候性を有する材料で形成され、種子を収容する種子収容部が形設されるとともに、前記種子収容部に孔部が設けられ、生産者等の情報が表示されもしくは生産者等の情報を記憶したＩＣチップが埋め込まれたタグ本体部と、水溶性もしくは水分解性または生分解性を有する材料で形成され、前記タグ本体部の下面側に接着されて、前記孔部から種子が脱落しないように孔部を塞ぐ閉塞フィルムと、前記タグ本体部の上面側に接着されて、前記種子収容部から種子が移動しないようにするカバーフィルムと、を備えて構成されたことを特徴とする。
【００１１】
請求項５に係る発明は、請求項４に記載の作物栽培・出荷用タグにおいて、カバーフィルムが、水溶性もしくは水分解性または生分解性を有する材料で形成されたことを特徴とする。
【発明の効果】
【００１２】
請求項１および請求項２に係る各発明の作物の栽培・出荷方法によると、生産者等の情報が表示されもしくはＩＣチップに記憶されたタグが根基部と葉茎基部との間に一体的に係合した状態で生育した作物が収穫され、タグが付加された状態のままで作物が出荷されるので、産地偽装や偽地域ブランド品の販売などの不法行為を行うことが難しくなる。また、出荷する作物に生産者や地域ブランドなどの情報を付加するために、作物の収穫後において生産者が余分な手間を掛ける必要も無い。さらに、請求項２に係る発明の栽培・出荷方法では、タグを圃場の土壌上に置いていくだけで種播きを行うことができるので、播種作業に余計な労力を必要とすることがない。
【００１３】
請求項３に係る発明の作物の栽培・出荷方法によると、生産者等の情報が表示されもしくはＩＣチップに記憶されたタグが茎部に一体的に係合した状態で生育した作物（果実）が収穫され、タグが付加された状態のままで作物が出荷されるので、産地偽装や偽地域ブランド品の販売などの不法行為を行うことが難しくなる。また、出荷する作物に生産者や地域ブランドなどの情報を付加するために、作物の収穫後において生産者が余分な手間を掛ける必要も無い。
【００１４】
請求項４に係る発明の作物栽培・出荷用タグは、タグ本体部の種子収容部に種子を収容させ、圃場の土壌上に置いていくだけで種播きを行うことができ、播種作業に余計な労力を必要とすることがない。そして、種子収容部の孔部から種子が脱落しないように孔を塞いでいる閉塞フィルムは、水で溶解しもしくは分解されまたは土壌中で微生物によって分解されるので、作物の根は種子収容部の孔部を通り地中に向かって伸長していき、一方、タグ本体部の上面側に接着されたカバーフィルムを取り除いておくなどすると、葉茎部は孔部から地上に向かって成長していく。この結果、生産者等の情報が表示されもしくはＩＣチップに記憶されたタグ本体部が根基部と葉茎基部との間に一体的に係合した状態で生育した作物が収穫され、タグ本体部が付加された状態のままで作物が出荷される。このため、産地偽装や偽地域ブランド品の販売などの不法行為を行うことが難しくなる。また、出荷する作物に生産者や地域ブランドなどの情報を付加するために、作物の収穫後において生産者が余分な手間を掛ける必要も無い。
【００１５】
請求項５に係る発明の作物栽培・出荷用タグでは、タグ本体部の上面側にカバーフィルムが接着されたままで播種を行っても、カバーフィルムは、水で溶解しもしくは分解されまたは土壌中の微生物によって分解されるので、播種作業の労力が軽減される。
【発明を実施するための最良の形態】
【００１６】
以下、この発明の最良の実施形態について図面を参照しながら説明する。
図１および図２は、この発明に係る作物の栽培・出荷方法により栽培される作物の例を示し、図１は、葉菜類を示す斜視図であり、図２は、根菜類を示す斜視図である。
【００１７】
図１に示すように、この発明に係る方法により栽培されて収穫された葉菜類１０（ほうれん草、キクナ、コマツナ等）には、作物栽培・出荷用タグ１２の孔部１４に根基部と葉茎基部との境目部分が嵌挿された状態でタグ１２が一体的に係合している。また、図２に示すように、根菜類１６（大根、カブ、ニンジン等）にも、タグ１２の孔部１４に根基部と葉茎基部との境目部分が嵌挿された状態でタグ１２が一体的に係合している。したがって、タグ１２は、葉菜類１０や根菜類１６の根と葉茎部との間を切断しない限り、葉菜類１０や根菜類１６から抜脱させることができず、かつ、収穫された葉菜類１０や根菜類１６に後から嵌め込むこともできないようになっている。このタグ１２には、生産地、生産者、地域ブランド名、品種名、栽培法、生産者識別コードなどの情報が表示されている。タグ１２は、耐候性を有する材料、例えば、プラスチック、合成紙等で形成され、あるいは、紙材にラミネート加工して形成されている。また、タグ１２を、生産者等の上記情報を記憶したＩＣチップが埋め込まれたＩＣタグで構成してもよい。
【００１８】
上記したように、収穫された葉菜類１０や根菜類１６にタグ１２が一体的に係合しており、タグ１２が付加された状態のままで葉菜類１０や根菜類１６を出荷することにより、流通・販売段階において流通業者や販売業者が産地偽装や偽地域ブランド品の販売などを行うことが困難となるので、それらの不法行為を有効に防止することができる。また、生産者にとっても、葉菜類１０や根菜類１６の収穫後に生産者名や地域ブランドなどの情報を付加するための手間を省くことができ、生産農家の負担が軽減される。
【００１９】
図１および図２に示したような葉菜類１０や根菜類１６は、以下のようにして栽培される。なお、以下では葉菜類１０について説明するが、根菜類１６の栽培も同様にして行われる。
まず、圃場の地表に浅く穴を掘り、その穴の位置にタグ１２の孔部１４が位置するようにタグ１２を土壌上に置く。次に、図３−Ａに示すように、土壌２０上のタグ１２の孔部１４の内側に種子１８を播き、種子１８上に土を被せる。あるいは、地表に浅く大きめの穴を掘り、その穴の底にタグ１２を配置した後、タグ１２の孔部１４の内側に種子１８を播いてから、タグ１２上に土をかけて、タグ１２と共に種子１８を土壌２４中に浅く埋めるようにしてもよい。この状態で、図３−Ｂに示すように種子１８から発芽させ、根が地中に向かって伸長していき、葉茎部が地上に向かって成長していく。図３−Ｃに示すように作物（葉菜類１０）が生育すると、根基部と葉茎基部との間にタグ１２が一体的に係合した作物を土壌中から引き抜いて収穫する。収穫された作物は、タグ１２が付加された状態のままで出荷される。
【００２０】
図４および図５は、この発明に係る作物の栽培・出荷方法の別の例を示し、図４は、その方法において使用される作物栽培・出荷用タグの構成の１例を示す斜視図であり、図５は、その縦断面図である。
【００２１】
この作物栽培・出荷用タグ２２は、種子１８を収容する種子収容部２６が形設されるとともに種子収容部２６に孔部２８が設けられたタグ本体部２４、このタグ本体部２４の下面側に接着されて孔部２８から種子１８が脱落しないように孔部２８を塞ぐ閉塞フィルム３０、および、タグ本体部２４の上面側に接着されて種子収容部２４から種子１８が移動しないようにするカバーフィルム３２を備えて構成されている。そして、この実施形態では、タグ本体部２４の種子収容部２６内に種子１８と共に固形養土３４が収容されている。タグ本体部２４は、耐候性を有する材料、例えば、プラスチック、合成紙等で形成され、あるいは、紙材にラミネート加工して形成されている。このタグ本体部２４には、生産地、生産者、地域ブランド名、品種名、栽培法、生産者識別コードなどの情報が表示されている。また、タグ本体部２４を、生産者等の情報を記憶したＩＣチップが埋め込まれたＩＣタグで構成してもよい。タグ本体部２４の種子収容部２６の底部に穿設された孔部２８の大きさは、生育後における作物の茎基部と根基部のサイズに合わせて、作物の生育が阻害されずにかつ作物が孔部２８から抜け落ちることがない程度の大きさとする。
【００２２】
タグ本体部２４の孔部２８を塞ぐ閉塞フィルム３０は、水溶性もしくは水分解性または生分解性を有する材料、例えば水溶紙、ポリビニルアルコール等の水溶性樹脂、セルロースやセルロース誘導体、キチン、キトサン等の天然多糖類、生分解性脂肪族ポリエステル等の生分解性樹脂などで形成されている。また、タグ本体部２４の種子収容部２６の上面開口を塞ぐカバーフィルム３２は、閉塞フィルム３０と同様に、水溶性もしくは水分解性または生分解性を有する材料で形成されている。あるいは、カバーフィルム３２を、水溶性または分解性を有しない材料、例えば透明あるいは半透明の合成樹脂フィルムで形成して、タグ本体部２４の上面に熱接着、粘着剤等により剥離可能に接着しておき、播種作業を行うときに、カバーフィルム３２をタグ本体部２４の上面から剥離するようにしてもよい。
【００２３】
この作物栽培・出荷用タグ２２を用いて圃場で播種作業を行うときは、地表に浅く穴を掘り、タグ２２を穴の底に配置した後、タグ２２上に土をかけて、タグ２２を土壌の表面に沿わせ平坦な状態にして土壌中に浅く埋める。播種後に土壌中において、タグ本体部２４の種子収容部２６の孔部２８を塞いでいる閉塞フィルム３０およびタグ本体部２４の種子収容部２６の上面開口を塞いでいるカバーフィルム３２が、水で溶解しもしくは分解されまたは微生物によって分解させられる。そして、種子１８から発芽・発根し、図６に縦断面図を示すように、作物３６の根はタグ本体部２４の種子収容部２６の孔部２８を通り地中に向かって伸長していき、葉茎部は地上に向かって成長していく。作物３６が生育すると、根基部と葉茎基部との間にタグ２２が一体的に係合した作物３６を土壌３８中から引き抜いて収穫する。収穫された作物３６は、タグ２２が付加された状態のままで出荷される。この作物栽培・出荷用タグ２２を用いた方法では、タグ２２を圃場の土壌上に置いていくだけで種播きを行うことができるので、播種作業の労力が軽減される。
【００２４】
図７は、作物栽培・出荷用タグの別の構成例を示す縦断面図である。
この作物栽培・出荷用タグ４０は、生産者等の情報が表示されるタグ本体部４２が単なる扁平状であり、１個の孔部４４が穿設されていて、その孔部４４の形成部分が種子１８を収容する種子収容部４６となる。タグ本体部４２の下面側には、孔部４４を塞ぐように閉塞フィルム４８が接着されるとともに、タグ本体部４２の上面側に、孔部４４を塞ぐようにカバーフィルム５０が接着されている。閉塞フィルム４８およびカバーフィルム５０はいずれも、水溶性もしくは水分解性または生分解性を有する材料、例えば水溶紙、水溶性樹脂、天然多糖類、生分解性樹脂などで形成されている。そして、タグ本体部４２の、閉塞フィルム４８とカバーフィルム５０で閉塞された種子収容部４６に種子１８と固形養土３４が封入されている。この作物栽培・出荷用タグ４０も、図４および図５に示した作物栽培・出荷用タグ２２と同様にして使用される。
【００２５】
次に、図８は、この発明に係る作物の栽培・出荷方法により栽培される作物の別の例を示し、果菜類を示す斜視図である。
【００２６】
図８に示すように、この発明に係る方法により栽培されて収穫された果菜類５２（メロン、スイカ、瓜等）には、作物栽培・出荷用タグ５４の孔部５６に果実部５２ａとつる状茎部５２ｂとの間の茎基部５２ｃが嵌挿された状態でタグ５４が一体的に係合している。したがって、タグ５４は、果菜類５２の茎基部５２ｃを切断したりつる状茎部５２ｂを無理矢理ねじ曲げたりしない限り、果菜類５２から抜脱させることができず、かつ、収穫された果菜類５２に後から嵌め込むこともできないようになっている。タグ５４には、生産地、生産者、地域ブランド名、品種名、栽培法、生産者識別コードなどの情報が表示されている。このタグ５４は、耐候性を有する材料、例えば、プラスチック、合成紙等で形成され、あるいは、紙材にラミネート加工して形成されている。また、タグ５４を、生産者等の上記情報を記憶したＩＣチップが埋め込まれたＩＣタグで構成してもよい。
【００２７】
上記したように、収穫された果菜類５２にタグ５４が一体的に係合しており、タグ５４が付加されつる状茎部５２ｂが残された状態のままで果菜類５２を出荷することにより、流通・販売段階において流通業者や販売業者が産地偽装や偽地域ブランド品の販売などを行うことが困難となるので、それらの不法行為を有効に防止することができる。また、生産者にとっても、果菜類５２の収穫後に生産者名や地域ブランドなどの情報を付加するための手間を省くことができ、生産農家の負担が軽減される。
【００２８】
図８に示したような果菜類５２は、次のようにして生産される。
すなわち、図９−Ａに示すように花５８が咲くと、雄花の花粉を雌花の先に付けて交配し、その交配直後における未生育の実の茎部をタグ５４の孔部５６に挿通して、タグ５４を茎部に保持させる。受精した作物は、交配してから数日経過すると実の部分が膨らんでくる。図９−Ｂに示すように実６０の部分が膨らむと、タグ５４は、果菜類５２の茎部から抜き出すことができなくなる。そして、図９−Ｃに示すように実６２が成熟すると、茎部６４にタグ５４が一体的に係合した作物を茎部６４の一部と共にもぎ取って収穫する。収穫された果菜類５２は、タグ５４が付加された状態のままで出荷される。
【００２９】
なお、上記した実施形態では、作物栽培・出荷用タグ１２、２２、４０、５４に孔部１４、２８、４４、５６を設けるようにしたが、孔部を設ける代わりに、図１０に平面図を示すように、タグ本体部６８に環部７０を設けて作物栽培・出荷用タグ６６を構成するようにしてもよい。
【図面の簡単な説明】
【００３０】
【図１】この発明に係る作物の栽培・出荷方法により栽培される葉菜類を示す斜視図である。
【図２】この発明に係る作物の栽培・出荷方法により栽培される根菜類を示す斜視図である。
【図３−Ａ】図１に示した葉菜類の栽培方法を説明するための斜視図である。
【図３−Ｂ】同じく、図１に示した葉菜類の栽培方法を説明するための斜視図である。
【図３−Ｃ】同じく、図１に示した葉菜類の栽培方法を説明するための斜視図である。
【図４】この発明に係る作物の栽培・出荷方法の別の例を示し、その方法において使用される作物栽培・出荷用タグの構成の１例を示す斜視図である。
【図５】図４に示した作物栽培・出荷用タグの縦断面図である。
【図６】図４に示した作物栽培・出荷用タグを使用して作物を栽培した状態を示す縦断面図である。
【図７】作物栽培・出荷用タグの別の構成例を示す縦断面図である。
【図８】この発明に係る作物の栽培・出荷方法により栽培される果菜類を示す斜視図である。
【図９−Ａ】図８に示した果菜類の栽培方法を説明するための斜視図である。
【図９−Ｂ】同じく、図８に示した果菜類の栽培方法を説明するための斜視図である。
【図９−Ｃ】同じく、図８に示した果菜類の栽培方法を説明するための斜視図である。
【図１０】作物栽培・出荷用タグの構成の変形例を示す平面図である。
【符号の説明】
【００３１】
１０  葉菜類
１２、２２、４０、５４、６６  作物栽培・出荷用タグ
１４、２８、４４、５６  タグの孔部
１６  根菜類
１８  種子
２０、３８  土壌
２４、４２、６８  タグ本体部
２６、４６  種子収容部
３０、４８  閉塞フィルム
３２、５０  カバーフィルム
３４  固形養土
３６  作物
５２  果菜類
７０  タグの環部
【図１】
2009277029.tif 000003
【図２】
2009277029.tif 000004
【図３−Ａ】
2009277029.tif 000005
【図３−Ｂ】
2009277029.tif 000006
【図３−Ｃ】
2009277029.tif 000007
【図４】
2009277029.tif 000008
【図５】
2009277029.tif 000009
【図６】
2009277029.tif 000010
【図７】
2009277029.tif 000011
【図８】
2009277029.tif 000012
【図９−Ａ】
2009277029.tif 000013
【図９−Ｂ】
2009277029.tif 000014
【図９−Ｃ】
2009277029.tif 000015
【図１０】
2009277029.tif 000016